(57)【要約】【課題】噴射特性の低下を防ぐことができる液体噴射装置を提供すること。【解決手段】液体を噴射する複数のノズルを有する液体噴射ヘッドと、前記液体噴射ヘッドに対向する対向領域に搬送媒体を搬送する搬送部と、前記対向領域に配置される前記搬送媒体を支持する支持部と、移動可能に設けられ、前記支持部を保護するカバーと、前記搬送媒体の移動に応じて、前記搬送媒体と前記支持部との間に前記カバーを配置させるカバー駆動部とを備える。【選択図】図２
2012061810.tif 000002
【特許請求の範囲】
【請求項１】
液体を噴射する複数のノズルを有する液体噴射ヘッドと、
複数の前記ノズルに対向する対向領域に搬送媒体を搬送する搬送部と、
前記対向領域に配置される前記搬送媒体を支持する支持部と、
移動可能に設けられ、前記支持部を保護するカバーと、
前記搬送媒体の移動に応じて、前記搬送媒体と前記支持部との間に前記カバーを配置させるカバー駆動部と
を備える液体噴射装置。
【請求項２】
前記支持部は、前記液体噴射ヘッド側に突出して設けられる複数のリブ部を有し、
前記カバー駆動部は、複数の前記リブ部を覆うように前記カバーを配置させる
請求項１に記載の液体噴射装置。
【請求項３】
複数の前記リブ部は、前記搬送媒体の搬送方向に沿って並んで配置されており、
前記カバーは、前記支持部のうち複数の前記リブ部に沿った部分を覆う寸法に形成されている
請求項２に記載の液体噴射装置。
【請求項４】
前記カバーは、前記搬送媒体のうち少なくとも搬送方向の先端部を支持可能に形成されている
請求項１から請求項３のうちいずれか一項に記載の液体噴射装置。
【請求項５】
前記カバー駆動部は、前記先端部の移動に追従して前記カバーを移動させる
請求項４に記載の液体噴射装置。
【請求項６】
前記カバー駆動部は、前記搬送媒体の搬送方向の先端部が前記支持部上に搬入されるときに前記支持部のうち前記搬送方向の上流側を覆うように前記カバーを移動させる
請求項１から請求項５のうちいずれか一項に記載の液体噴射装置。
【請求項７】
前記カバーの移動を案内する案内部を更に備える
請求項１から請求項６のうちいずれか一項に記載の液体噴射装置。
【請求項８】
前記搬送媒体の種類又は前記搬送媒体に噴射される前記液体の噴射領域の寸法に応じて、前記カバーを前記搬送媒体と前記支持部との間に配置させるか否かを制御する制御部を更に備える
請求項１から請求項７のうちいずれか一項に記載の液体噴射装置。
【発明の詳細な説明】
【技術分野】
【０００１】
本発明は、液体噴射装置に関する。
【背景技術】
【０００２】
液体を噴射する液体噴射装置として、例えば下記特許文献１に記載の印刷装置が知られている。印刷装置は、紙などの搬送媒体を搬送しつつ当該搬送媒体にインクを噴射して文字や画像等を記録する装置である。印刷装置は、インクを噴射する複数のノズルが形成されたヘッドを有している。ヘッドに対向する位置には、搬送媒体を支持する支持部が設けられている。ヘッドからインクを噴射する際には、搬送媒体が当該支持部に支持された状態となる。
【先行技術文献】
【特許文献】
【０００３】
【特許文献１】特開２００１−２１９５６７号公報
【発明の概要】
【発明が解決しようとする課題】
【０００４】
しかしながら、搬送媒体を支持部に支持させる際、搬送媒体が支持部に衝突することにより、搬送媒体に付着していた埃などの異物が巻き上げられ、ノズルに付着する場合がある。ノズルに付着した異物がそのまま残留すると、ノズルが詰まってしまう場合がある。このようにノズルが詰ってしまうと、噴射特性が低下してしまうおそれがある。
【０００５】
以上のような事情に鑑み、本発明は、噴射特性の低下を防ぐことができる液体噴射装置を提供することを目的とする。
【課題を解決するための手段】
【０００６】
本発明に係る液体噴射装置は、液体を噴射する複数のノズルを有する液体噴射ヘッドと、複数の前記ノズルに対向する対向領域に搬送媒体を搬送する搬送部と、前記対向領域に配置される前記搬送媒体を支持する支持部と、移動可能に設けられ、前記支持部を保護するカバーと、前記搬送媒体の移動に応じて、前記搬送媒体と前記支持部との間に前記カバーを配置させるカバー駆動部とを備えることを特徴とする。
【０００７】
本発明によれば、支持部を保護するカバーが搬送媒体の移動に応じて、搬送媒体と支持部との間に配置する構成であるため、搬送媒体が支持部に衝突するのを防ぐことができる。これにより、搬送媒体に付着した異物が巻き上げられるのを防ぐことができるので、ノズルの詰まりを抑えることができ、噴射特性の低下を防ぐことができる。
【０００８】
上記の液体噴射装置は、前記支持部は、前記液体噴射ヘッド側に突出して設けられる複数のリブ部を有し、前記カバー駆動部は、複数の前記リブ部を覆うように前記カバーを配置させることを特徴とする。  
本発明によれば、支持部が液体噴射ヘッド側に突出して設けられる複数のリブ部を有し、カバー駆動部が複数のリブ部を覆うようにカバーを配置させることとしたので、搬送媒体とリブ部とが衝突するのを防ぐことができる。
【０００９】
上記の液体噴射装置は、複数の前記リブ部は、前記搬送媒体の搬送方向に沿って並んで配置されており、前記カバーは、前記支持部のうち複数の前記リブ部に沿った部分を覆う寸法に形成されていることを特徴とする。  
本発明によれば、複数のリブ部が搬送媒体の搬送方向に沿って並んで配置されており、カバーが支持部のうち複数のリブ部に沿った部分を覆う寸法に形成されているため、搬送媒体が搬送方向に沿って搬送される過程において、当該搬送媒体がリブ部に衝突するのを回避し続けることができる。
【００１０】
上記の液体噴射装置は、前記カバーは、前記搬送媒体のうち少なくとも搬送方向の先端部を支持可能に形成されていることを特徴とする。  
搬送媒体の先端部は、支持部あるいはリブ部に衝突しやすい場合があるが、本発明によれば、カバーが搬送媒体のうち少なくとも搬送方向の先端部を支持可能に形成されているため、搬送媒体の先端部が支持部あるいはリブ部に衝突するのを防ぐことができる。
【００１１】
上記の液体噴射装置は、前記カバー駆動部は、前記先端部の移動に追従して前記カバーを移動させることを特徴とする。  
本発明によれば、カバー駆動部が先端部の移動に追従してカバーを移動させることとしたので、搬送媒体が搬送方向に沿って搬送される過程において、当該搬送媒体の先端部が支持部あるいはリブ部に衝突するのを回避し続けることができる。
【００１２】
上記の液体噴射装置は、前記カバー駆動部は、前記搬送媒体の搬送方向の先端部が前記支持部上に搬入されるときに前記支持部のうち前記搬送方向の上流側を覆うように前記カバーを移動させることを特徴とする。  
本発明によれば、搬送媒体の搬送方向の先端部が支持部上に搬入されるときに支持部のうち搬送方向の上流側を覆うようにカバーが移動するため、先端部が支持部に搬入されるときの衝突を防ぐことができる。
【００１３】
上記の液体噴射装置は、前記カバーの移動を案内する案内部を更に備えることを特徴とする。  
本発明によれば、カバーの移動を案内する案内部が設けられているため、カバーをより正確な位置に移動させることができる。
【００１４】
上記の液体噴射装置は、前記搬送媒体の種類又は前記搬送媒体に噴射される前記液体の噴射領域の寸法に応じて、前記カバーを前記搬送媒体と前記支持部との間に配置させるか否かを制御する制御部を更に備えることを特徴とする。  
本発明によれば、搬送媒体の種類又は搬送媒体に噴射される液体の噴射領域の寸法に応じて、カバーが搬送媒体と支持部との間に配置されるか否かが制御されるため、例えば搬送媒体からはみ出すように液体が噴射される場合などにおいては、カバーが搬送媒体と支持部との間に配置されないようにすることができる。これにより、カバーに液体が付着するのを回避することができる。また、異物が付着しにくい種類の搬送媒体を用いる場合にも、カバーが搬送媒体と支持部との間に配置されないようにすることができる。これにより、消費電力を抑えることができる。
【図面の簡単な説明】
【００１５】
【図１】本発明の実施の形態に係る印刷装置の構成を示す概略図。
【図２】本実施形態に係るカバー及びカバー駆動部の構成を示す図。
【図３】制御系の構成を示すブロック図。
【図４】印刷装置の動作を示す図。
【図５】印刷装置の動作を示す図。
【図６】印刷装置の動作を示す図。
【図７】本発明に係る印刷装置の他の構成を示す概略図。
【図８】本発明に係る印刷装置の他の構成を示す概略図。
【図９】本発明に係る印刷装置の他の構成を示す概略図。
【発明を実施するための形態】
【００１６】
以下、図面を参照して、本発明の実施の形態を説明する。以下の説明に用いる各図面では、各部材を認識可能な大きさとするため、各部材の縮尺を適宜変更している。以下の説明では、印刷装置として、インクを記録媒体である紙等に噴射し、文字や画像等の情報を記録する印刷装置の例を示す。
【００１７】
本実施形態における印刷装置ＰＲＴの構成を、図１を参照して説明する。  
図１は、本実施形態における印刷装置（液体噴射装置）ＰＲＴの全体構成図である。  
印刷装置ＰＲＴは、搬送媒体である記録紙Ｐにインクを噴射し、文字や画像等の情報を記録する印刷装置である。印刷装置ＰＲＴは、給紙部２と、搬送部３と、インクジェット部ＩＪと、排紙部４と、カバーＣＯＶと、カバー駆動部ＡＣＴと、制御部ＣＯＮＴとを有している。
【００１８】
給紙部２は、記録紙Ｐを保持するとともに、記録紙Ｐを搬送部３に向けて供給する部分である。給紙部２は、給紙トレイ１１と、給紙ローラー１２とを有している。給紙トレイ１１は、複数枚の記録紙Ｐを保持可能に形成されている。記録紙Ｐとしては、インクによる印刷が可能なシート状の記録媒体が用いられ、普通紙、コート紙、ＯＨＰ（オーバーヘッドプロジェクター）用シート、光沢紙及び光沢フィルム等が用いられる。
【００１９】
給紙ローラー１２は、記録紙Ｐを搬送部３に向けて供給するローラーであり、記録紙Ｐの搬送方向に回転可能に設けられている。給紙ローラー１２は、給紙トレイ１１の搬送部３側に配置されている。給紙ローラー１２の外周面と対向する位置には不図示の分離パッドが設けられており、該分離パッドと給紙ローラー１２とが協働して記録紙Ｐを一枚ずつ搬送部３に供給する構成となっている。
【００２０】
搬送部３は、給紙部２から供給された記録紙Ｐをインクジェット部ＩＪ及び排紙部４に向けて搬送する部分である。搬送部３は、搬送ローラー１３と、従動ローラー１４と、プラテン（支持部）１５と、リブ部１６とを有している。
【００２１】
搬送ローラー１３は、回転することで記録紙Ｐを所定の印刷位置に正確に搬送するためのローラーである。搬送ローラー１３は、給紙部２の給紙方向と直行する方向且つ水平方向で延在し、円筒状に成形された軸部材である。搬送ローラー１３は、搬送部３に設けられた略Ｕ字型の一対の軸受（図示せず）に回転自在に支持されている。搬送ローラー１３には、例えば不図示の駆動部が接続されている。搬送ローラー１３は、当該駆動部の駆動により回転するようになっている。
【００２２】
従動ローラー１４は、略円柱状の部材である。従動ローラー１４は、搬送ローラー１３の軸方向に平行に配置されており、搬送ローラー１３と間隔をあけて配置されている。また、従動ローラー１４は、従動ローラー１４には不図示の付勢バネが設けられており、この付勢バネの付勢力によって、従動ローラー１４は搬送ローラー１３に付勢されて接触している。このため、従動ローラー１４は搬送ローラー１３の回転に従動して回転し、搬送ローラー１３との間で記録紙Ｐを挟持することができる。
【００２３】
プラテン１５は、インクジェット部ＩＪによる記録紙Ｐへの印刷を行うときに、記録紙Ｐを下方から支持する箇所であり、水平面に略平行する上面を有している。リブ部１６は、プラテン１５の上面から上方に向けて突出する突部であり、搬送ローラー１３の軸方向に沿って間隔を空けて複数配置されている。また、リブ部１６の頂面は、水平面と略平行に形成されており、この頂面によって印刷時の記録紙Ｐが下方から支持される。
【００２４】
インクジェット部ＩＪは、搬送部３に載置されている記録紙Ｐの記録面Ｐａに対してインクを噴射する部分である。インクジェット部ＩＪは、噴射ヘッド（液体噴射ヘッド）Ｈと、キャリッジＣＡとを有している。噴射ヘッドＨは、制御部ＣＯＮＴの制御によってインクが噴射される複数のノズルＮＺを有している。複数のノズルＮＺは、上記のプラテン１５に対向して設けられている。換言すると、プラテン１５は、複数のノズルＮＺに対向する対向領域に設けられていることになる。
【００２５】
キャリッジＣＡは、噴射ヘッドＨを保持して移動可能に設けられている。キャリッジＣＡは、搬送ローラー１３の軸方向に往復移動自在に設けられている。また、キャリッジＣＡには、制御部ＣＯＮＴの制御によりキャリッジＣＡを往復移動させる不図示の駆動部が連結されている。
【００２６】
排紙部４は、搬送部３から印刷後の記録紙Ｐを排出するものであって、排紙ローラー１７と、排紙ギザローラー１８と、排紙トレイ２１とを有している。排紙ローラー１７と排紙ギザローラー１８とは、互いに相反する方向で回転でき、この回転によって記録紙Ｐを引き出して排紙トレイ２１へ排出する構成となっている。
【００２７】
カバーＣＯＶは、例えばゴムやプラスチックなど、樹脂材料によって形成されている。カバーＣＯＶは、無端シート状に形成されており、プラテン１５を囲うように設けられている。カバーＣＯＶは、プラテン１５のリブ部１６と記録紙Ｐとの間に配置されている。プラテン１５及びリブ部１６は、カバーＣＯＶによって覆われた状態になっている。
【００２８】
図２は、プラテン１５（リブ部１６）、カバーＣＯＶ及びカバー駆動部ＡＣＴの構成を示す図である。  
図１及び図２に示すように、カバー駆動部ＡＣＴは、４つのローラーＲを有している。カバーＣＯＶは、カバー駆動部ＡＣＴを構成する４つのローラーＲに掛けられた状態で設けられている。
【００２９】
カバーＣＯＶは、例えば記録紙Ｐの搬送方向に直交する方向の寸法が、当該記録紙Ｐの同方向の寸法よりも大きくなっている。したがって、記録紙Ｐは、プラテン１５上においては、カバーＣＯＶ上に完全に載置されることになる。このように、カバーＣＯＶは、記録紙Ｐの少なくとも先端部Ｐｈを十分に支持可能に形成されている。また、図２に示すように、プラテン１５の表面１５ａにはリブ部１６が図中上下方向に２列設けられている。カバーＣＯＶは当該２列のリブ部１６の全部を覆うことが可能な寸法に形成されている。
【００３０】
カバー駆動部ＡＣＴを構成する４つのローラーＲは、それぞれ周方向に回転可能に設けられている。４つのローラーＲが回転することにより、無端シート状に形成されたカバーＣＯＶが４つのローラーＲに沿って回転するようになっている。これにより、プラテン１５及びリブ部１６を覆った状態で、プラテン１５の周囲を回転するように形成されており、搬送部３によって搬送される記録紙Ｐの移動に追従して回転することができるようになっている。
【００３１】
４つのローラーＲは、例えば図１に示す方向（図２の下側から上側へ向かう方向）に移動可能に設けられている。このため、カバーＣＯＶは、プラテン１５を囲う位置から、当該プラテン１５の側方へ退避可能な構成となっている。カバーＣＯＶが退避することにより、プラテン１５及びリブ部１６が記録紙Ｐの搬送経路上に露出されるようになっている。このように、カバー駆動部ＡＣＴは、カバーＣＯＶがプラテン１５及びリブ部１６を覆った状態と覆わない状態とを切り替えることができるようになっている。
【００３２】
図３は印刷装置ＰＲＴの電気的な構成を示すブロック図である。  
制御部ＣＯＮＴには、印刷装置ＰＲＴの動作に関する各種情報を入力する入力装置ＩＰ、印刷装置ＰＲＴの動作に関する各種情報を記憶した記憶装置ＭＲ、噴射ヘッドＨ（キャリッジＣＡ）を移動させるヘッド移動機構ＡＣ、噴射ヘッドＨのメンテナンス動作を行わせるメンテナンス機構ＭＮ等が接続されている。
【００３３】
加えて、上述した搬送部３や、カバー駆動部ＡＣＴなどが接続されている。制御部ＣＯＮＴの制御により、例えばカバー駆動部ＡＣＴの４つのローラーＲの回転速度は、例えば制御部ＣＯＮＴによって制御可能になっている。このため、記録紙Ｐの搬送速度などに応じてカバーＣＯＶが高い自由度で当該記録紙Ｐの移動に追従できるようにできるようになっている。また、制御部ＣＯＮＴの制御により、カバーＣＯＶの退避移動の速度や退避移動のタイミングが調整されるようになっている。
【００３４】
印刷装置ＰＲＴは、それぞれの圧電振動子３８に入力する駆動信号を発生する駆動信号発生器６２を備えている。この駆動信号発生器６２は、制御部ＣＯＮＴに接続されている。駆動信号発生器６２には、噴射ヘッドＨの圧電振動子３８に入力する吐出パルスの電圧値の変化量を示すデータ、及び吐出パルスの電圧を変化させるタイミングを規定するタイミング信号が入力される。駆動信号発生器６２は、各圧電振動子３８に対して、個別に駆動信号を供給可能に設けられている。
【００３５】
次に、上記のように構成された印刷装置ＰＲＴの動作を説明する。  
まず、給紙部２の給紙トレイ１１上に記録紙Ｐを配置させた状態で待機する。この状態から、外部から画像データ及び印刷開始信号が入力された場合、制御部ＣＯＮＴは、図４に示すように、給紙ローラー１２を回転させ、記録紙Ｐを搬送部３側へと搬送させる。記録紙Ｐの先端が搬送ローラー１３及び従動ローラー１４に到達したら、制御部ＣＯＮＴは搬送ローラー１３を回転させる。この動作により、搬送ローラー１３及び従動ローラー１４は、記録紙Ｐを挟みつつ当該記録紙Ｐをプラテン１５側へ搬送する。
【００３６】
記録紙Ｐがプラテン１５側へ搬送されると、制御部ＣＯＮＴは、カバー駆動部ＡＣＴの４つのローラーＲを回転させる。この動作により、カバーＣＯＶが図中反時計回りに回転する。この場合、カバーＣＯＶは、噴射ヘッドＨに対向する部分が記録紙Ｐの搬送方向と同一の方向に移動するように回転する。制御部ＣＯＮＴは、４つのローラーＲの回転速度を調整することにより、当該カバーＣＯＶの回転速度を記録紙Ｐの搬送速度に一致させるようにする。
【００３７】
この状態で、図５に示すように、記録紙Ｐの先端部Ｐｈがプラテン１５の上流側に差し掛かった場合、記録紙Ｐの先端部ＰｈがカバーＣＯＶ上に載置されることになる。プラテン１５及びリブ部１６がカバーＣＯＶで覆われており、記録紙Ｐの先端部ＰｈがカバーＣＯＶに載置されることになるため、記録紙Ｐがプラテン１５やリブ部１６に衝突するのが回避され、記録紙Ｐに付着している異物等が巻き上げられずに済むことになる。
【００３８】
図５に示す状態から記録紙Ｐを搬送する場合、記録紙Ｐの搬送速度とカバーＣＯＶの移動速度とが一致しているため、カバーＣＯＶは記録紙Ｐに追従するように回転することになる。このため、カバーＣＯＶと記録紙Ｐとの間の摩擦が抑制される。このため、搬送精度が低下すること無く記録紙Ｐの搬送が行われる。
【００３９】
記録紙Ｐが所定の印刷位置に到達した場合、制御部ＣＯＮＴは、噴射ヘッドＨを移動させつつ、印刷する画像の画像データに基づいてノズルＮＺに係る駆動信号発生器６２から圧電振動子３８に駆動信号を入力する。圧電振動子３８に駆動信号が入力されると、圧電振動子３８が伸縮する。
【００４０】
圧電振動子３８の伸縮により、圧力室４６の容積が変化し、インクを収容した圧力室４６の圧力が変動する。この圧力の変動によって、ノズルＮＺからインクが噴射される。ノズルＮＺから噴射されたインクによって、図６に示すように、記録紙Ｐの記録面Ｐａに所望の画像Ｑが形成される。
【００４１】
上記の印刷動作において、記録紙Ｐをプラテン１５に支持させる際、記録紙Ｐがプラテン１５やリブ部１６に衝突すると、記録紙Ｐに付着していた埃などの異物が巻き上げられ、噴射ヘッドＨのノズルＮＺに付着する場合がある。ノズルＮＺに付着した異物がそのまま残留すると、ノズルＮＺが詰まってしまう場合がある。このようにノズルＮＺが詰ってしまうと、噴射特性が低下してしまうおそれがある。
【００４２】
これに対して、本実施形態によれば、プラテン１５及びリブ部１６を保護するカバーＣＯＶが記録紙Ｐの移動に応じて、記録紙Ｐとプラテン１５及びリブ部１６との間に配置する構成であるため、記録紙Ｐがプラテン１５及びリブ部１６に衝突するのを防ぐことができる。これにより、記録紙Ｐに付着した異物が巻き上げられるのを防ぐことができるので、ノズルＮＺの詰まりを抑えることができ、噴射特性の低下を防ぐことができる。
【００４３】
なお、本実施形態においては、カバー駆動部ＡＣＴを構成する４つのローラーＲがプラテン１５から外れた位置に退避することができる構成となっている。したがって、例えば記録紙Ｐの先端部Ｐｈがプラテン１５に差し掛かったときに４つのローラーＲがプラテン１５を囲うように移動する構成としても構わない。
【００４４】
また、例えば記録紙Ｐの種類や印刷の態様などに応じて、制御部ＣＯＮＴが４つのローラーＲをプラテン１５の周囲から退避させるようにしても構わない。つまり、記録紙Ｐの種類や印刷の態様などに応じて、プラテン１５及びリブ部１６がカバーＣＯＶで覆われない構成としても構わない。
【００４５】
具体的には、記録紙Ｐが写真用紙である場合や、印刷の態様として縁無し印刷（記録紙Ｐの全面に印刷を行う態様）である場合など、印刷時に記録紙Ｐからはみ出す領域にインクを噴射する可能性のある場合には、カバーＣＯＶにインクが付着するのを回避するため、プラテン１５及びリブ部１６からカバーＣＯＶを退避させた状態で印刷を行うようにする。これにより、カバーＣＯＶがインクで汚染されるのを防ぐことができる。
【００４６】
本発明の技術範囲は上記実施形態に限定されるものではなく、本発明の趣旨を逸脱しない範囲で適宜変更を加えることができる。  
上記実施形態では、カバーＣＯＶが無端シート状に形成された構成を例に挙げて説明したが、これに限られることは無く、例えば図７及び図８に示すように、カバーＣＯＶが帯状に形成された構成としても構わない。
【００４７】
図７及び図８に示すように、カバーＣＯＶは、記録紙Ｐの搬送方向に直交する方向に長手方向を有している。カバーＣＯＶは、例えば可撓性を有している構成としても構わないし、剛性の高い板状部材であっても構わない。カバーＣＯＶは、例えば印刷動作を行っていない場合には、記録紙Ｐの搬送経路（図中破線で示す）に対してプラテン１５側（図中下側）の第一位置Ｃ１で待機するように配置されている。
【００４８】
カバー駆動部ＡＣＴは、カバーＣＯＶの長手方向の両端部を保持して移動可能に設けられている。カバー駆動部ＡＣＴは、カバーＣＯＶを第一位置Ｃ１からプラテン１５上の第二位置Ｃ２へと移動させる。第一位置Ｃ１と第二位置Ｃ２との間には、例えば案内部Ｇが設けられている。
【００４９】
案内部Ｇは、プラテン１５に対して記録紙Ｐの搬送方向に直交する方向の両側に配置されている。カバー駆動部ＡＣＴが案内部Ｇに沿って移動することにより、カバーＣＯＶの移動が案内されるようになっている。なお、カバーＣＯＶは、第二位置Ｃ２に配置された場合において、記録紙Ｐの搬送方向の最も上流側のリブ部１６を覆うように配置されることになる。
【００５０】
なお、カバー駆動部ＡＣＴは、当該第二位置Ｃ２から記録紙Ｐの搬送方向の下流側にカバーＣＯＶを移動可能な構成であっても構わない。また、カバー駆動部ＡＣＴがカバーＣＯＶを第一位置Ｃ１と第二位置Ｃ２との間で往復させるように移動させる構成であっても構わない。また、カバー駆動部ＡＣＴは、それぞれ平面視で（図７参照）プラテン１５からはみ出した位置を移動するように配置されている。これにより、カバーＣＯＶの移動の際、カバー駆動部ＡＣＴとプラテン１５との衝突が回避されるようになっている。
【００５１】
このような構成において、記録紙Ｐの先端部Ｐｈがプラテン１５の上流側に差し掛かった場合、図９に示すように、制御部ＣＯＮＴは、記録紙Ｐの先端部Ｐｈの移動に追従して、カバーＣＯＶをプラテン１５上に移動させる。具体的には、記録紙Ｐの先端部Ｐｈが第二位置Ｃ２に移動してくるのに合わせて、カバーＣＯＶを第二位置Ｃ２に移動させる。
【００５２】
この動作により、プラテン１５及びリブ部１６がカバーＣＯＶで覆われることになり、記録紙Ｐの先端部ＰｈがカバーＣＯＶに載置されることになるため、記録紙Ｐがプラテン１５やリブ部１６に衝突するのが回避され、記録紙Ｐに付着している異物等が巻き上げられずに済むことになる。
【００５３】
なお、この後、制御部ＣＯＮＴは、記録紙Ｐの先端部Ｐｈの移動に合わせてカバーＣＯＶを搬送方向に追従させるように移動させても構わないし、当該第二位置Ｃ２で待機させておくようにしても構わない。また、制御部ＣＯＮＴは、記録紙Ｐの先端部ＰｈがカバーＣＯＶを通り過ぎた後、一旦第一位置Ｃ１に退避させるようにしても構わない。
【００５４】
このように、カバーＣＯＶが帯状に形成されている場合においても、カバーＣＯＶを記録紙Ｐの移動に応じて、記録紙Ｐとプラテン１５及びリブ部１６との間に配置させることにより、記録紙Ｐがプラテン１５及びリブ部１６に衝突するのを防ぐことができる。これにより、上記実施形態と同様に、記録紙Ｐに付着した異物が巻き上げられるのを防ぐことができるので、ノズルＮＺの詰まりを抑えることができ、噴射特性の低下を防ぐことができる。
【００５５】
また、カバーＣＯＶの形状については、プラテン１５の一部及びリブ部１６の一部を覆うことができる構成であれば、上記の構成に限られることは無い。例えば、記録紙Ｐの搬送方向に沿って２列設けられたリブ部１６のうち１列ずつを覆うように、当該搬送方向に長手に形成された２本のカバーＣＯＶが設けられた構成であっても構わない。
【００５６】
また、上記実施形態では、インクジェット式のプリンタと、インクカートリッジが採用されているが、インク以外の他の液体を噴射したり吐出したりする液体噴射装置と、その液体を収容した液体容器を採用しても良い。微小量の液滴を吐出させる液体噴射ヘッド等を備える各種の液体噴射装置に流用可能である。なお、液滴とは、上記液体噴射装置から吐出される液体の状態をいい、粒状、涙状、糸状に尾を引くものも含むものとする。
【００５７】
また、ここでいう液体とは、液体噴射装置が噴射させることができるような材料であれ良い。例えば、物質が液相であるときの状態のものであれば良く、粘性の高い又は低い液状態、ゾル、ゲル水、その他の無機溶剤、有機溶剤、溶液、液状樹脂、液状金属（金属融液）のような流状態、また物質の一状態としての液体のみならず、顔料や金属粒子などの固形物からなる機能材料の粒子が溶媒に溶解、分散または混合されたものなどを含む。また、液体の代表的な例としては上記実施例の形態で説明したようなインクや液晶等が挙げられる。ここで、インクとは一般的な水性インクおよび油性インク並びにジェルインク、ホットメルトインク等の各種液体組成物を包含するものとする。
【００５８】
液体噴射装置の具体例としては、例えば液晶ディスプレイ、ＥＬ（エレクトロルミネッセンス）ディスプレイ、面発光ディスプレイ、カラーフィルタの製造などに用いられる電極材や色材などの材料を分散または溶解のかたちで含む液体を噴射する液体噴射装置、バイオチップ製造に用いられる生体有機物を噴射する液体噴射装置、精密ピペットとして用いられ試料となる液体を噴射する液体噴射装置、捺染装置やマイクロディスペンサ等であってもよい。
【００５９】
さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置を採用しても良い。そして、これらのうちいずれか一種の噴射装置および液体容器に本発明を適用することができる。
【符号の説明】
【００６０】
ＰＲＴ…印刷装置（液体噴射装置）  Ｐ…記録紙（搬送媒体）  Ｐａ…記録面  Ｐｈ…先端部  ＣＯＶ…カバー  ＡＣＴ…カバー駆動部  ＣＯＮＴ…制御部  Ｈ…噴射ヘッド（液体噴射ヘッド）  ＮＺ…ノズル  Ｒ…ローラー  Ｃ１…第一位置  Ｃ２…第二位置  Ｇ…案内部
【図１】
2012061810.tif 000003
【図２】
2012061810.tif 000004
【図３】
2012061810.tif 000005
【図４】
2012061810.tif 000006
【図５】
2012061810.tif 000007
【図６】
2012061810.tif 000008
【図７】
2012061810.tif 000009
【図８】
2012061810.tif 000010
【図９】
2012061810.tif 000011